(57)【特許請求の範囲】
【請求項１】
ステータ構造を備えたレゾルバにおいて、前記ステータ構造は、
第１本体部と前記第１本体部の内周側に延在する複数のティース部とを有するステータコアと、インシュレータを介して前記各ティース部に巻回された巻線により構成されているコイルと、を有するステータ部と、
前記コイルを前記ステータコアの軸方向から覆うコイルカバーと、
前記ステータコアの前記第１本体部上に配設され、前記インシュレータから前記ステータコアの径方向外向きに延在する端子台部と、
前記端子台部に設けられ、前記コイルを構成する巻線の末端が結びつけられている複数の端子と、
前記コイルカバーに設けられ、前記端子台部を覆う端子台カバー部と、
を備え、
前記端子台部は、前記複数の端子の各々の間にそれぞれ設けられた複数の凹部を有し、
前記端子台カバー部は、内部に設けられた複数の隔離部材を有し、前記複数の隔離部材の各々の先端側は前記複数の凹部の各々に挿入され、前記複数の端子の各々は、前記複数の凹部の各々に挿入された前記複数の隔離部材により形成された複数の空間の各々に、互いに離間されるように収容されており、前記複数の凹部の各々の内側と、各々の凹部に挿入されている前記複数の隔離部材の各々との間には間隙が形成されており、側壁の端面に段差が形成され、前記隔離部材の先端の位置は前記端子台カバー部の前記側壁の端面の位置よりも凹んでおり、
前記コイルカバーと前記端子台カバー部と前記複数の隔離部材とが樹脂による一体成形品である
ことを特徴とするレゾルバ。
【請求項２】
ステータ構造を備えたレゾルバにおいて、前記ステータ構造は、
第１本体部と前記第１本体部の内周側に延在する複数のティース部とを有するステータコアと、インシュレータを介して前記各ティース部に巻回された巻線により構成されているコイルと、を有するステータ部と、
前記コイルを、前記ステータコアの軸方向の両側からそれぞれ覆う第１コイルカバーと第２コイルカバーとを含むコイルカバーと、
前記ステータコアの前記第１本体部上に配設され、前記インシュレータから前記ステータコアの径方向外向きに延在する端子台部と、
前記端子台部に設けられ、前記コイルを構成する巻線の末端が結びつけられている複数の端子と、
前記コイルカバーに設けられ、前記端子台部を覆う端子台カバー部と、
を備え、
前記第１コイルカバーは前記端子台カバー部と複数の第１の係合部を備え、
前記第２コイルカバーは複数の第２係合部を備え、
前記ステータコアの前記第１本体部に形成した複数の貫通孔の内部で、前記複数の第１の係合部と前記複数の第２係合部が互いに係合しており、
前記端子台部は、前記複数の端子の各々の間にそれぞれ設けられた複数の凹部を有し、
前記端子台カバー部は、内部に設けられた複数の隔離部材を有し、前記複数の隔離部材の各々の先端側は前記複数の凹部の各々に挿入され、前記複数の端子の各々は、前記複数の凹部の各々に挿入された前記複数の隔離部材により形成された複数の空間の各々に、互いに離間されるように収容されており、前記複数の凹部の各々の内側と、各々の凹部に挿入されている前記複数の隔離部材の各々との間には間隙が形成されており、
前記コイルカバーと前記端子台カバー部と前記複数の隔離部材とが樹脂による一体成形品である
ことを特徴とするレゾルバ。
【請求項３】
前記端子台部と前記端子台カバー部は互いを結合するための結合手段を備えていることを特徴とする請求項１又は２に記載のレゾルバ。
【発明の詳細な説明】
【技術分野】
【０００１】
本発明は、ステータ構造を備えたレゾルバに関するものである。
【背景技術】
【０００２】
回転角センサとして、レゾルバが知られている。例えば、レゾルバは、環状のヨーク部から内周側に中心に向かって延在する複数のティースを備えたステータコアと、ステータコアの内側においてステータのティース部に対向配置されるロータとから構成される。ティースにはインシュレータを介して巻線が巻回されてコイルを形成している。巻線は、励磁信号を入力する励磁巻線と、ロータの回転角度に応じて２相の信号を出力する２つの検出巻線とで構成されている。検出巻線からは、それぞれｓｉｎθに依存したｓｉｎ信号と、ｃｏｓθに依存したｃｏｓ信号が出力される。レゾルバにおいて、ステータコアの両側に巻線（コイル）を覆う２つのコイルカバーを取り付けた構成が知られている（例えば、特許文献１参照）。
【０００３】
特許文献１に開示される構成では、その図７等にも示されるように、第１コイルカバーには複数の第１支柱部と複数の第１受部とが設けられ、第２コイルカバーには複数の第２支柱部と複数の第２受部とが設けられている。第１、第２支柱部はそれぞれインシュレータが設けられたティースの間の空間（スロット）に延在している。そして、第１、第２コイルカバーがステータコアに取り付けられた後、第２コイルカバーの第２受部が設けられている位置に超音波振動が加えられ、第１コイルカバーの第１支柱部と第２コイルカバーの第２受部とが互いに溶着される。これにより、第１、第２コイルカバーが互いに結合される。
【０００４】
一方、２つのコイルカバーを相互に結合する構成として、係止突起体と係止段部によるスナップフィットを用いる構成が知られている（例えば、特許文献２参照）。
【０００５】
特許文献２に開示されるレゾルバ用のステータ構造では、第１コイルカバーに設けられた係止用突起体が、インシュレータが設けられたティースの間のスロットを貫通して、第２コイルカバーに設けられた筒状突起体と係合することにより、２つのコイルカバーが結合する。このとき、係止用突起体の係止爪が割り溝によって変形または歪みを伴って筒状突起体の輪状テーパー部と係合して貫通した後に、筒状突起体の裏側の係止段部にスナップフィットによって係止される。
【先行技術文献】
【特許文献】
【０００６】
【特許文献１】特開２００９−１４８０８１号公報
【特許文献２】特開２００４−１３５４０２号公報
【発明の概要】
【発明が解決しようとする課題】
【０００７】
ところで、レゾルバのステータにおいてより高い信頼性を実現するために、ステータの内周側から異物がコイルに到達することを防止または抑制する必要がある。これを実現するために、ステータの内周側に対するスロットの開口を覆う保護構造を設ける方法がある。このような保護構造は、例えば上記特許文献１、２に記載の支柱部と受部または互いに係止する突起体によっても実現できる。
【０００８】
しかしながら、特許文献１、２の支柱部と受部または突起体は、２つのコイルカバーを結合する構造としても用いられているため、コイルカバーの取り付け時には溶着または係止により互いの位置関係が固定される。したがって、コイルカバーの製造ばらつき等により、支柱部と受部または突起体の位置や大きさに設計からの誤差が生じている場合は、溶着または係止を行った際に、この誤差が保護構造の形状のゆがみとなって現れる場合がある。このようなゆがみは、支柱部と受部または突起体の数が増加するほど発生の可能性およびゆがみの程度が大きくなる。この場合、保護構造のゆがみにより意図しない隙間が発生し、そこからスロットに異物が侵入するおそれがある。このとき、侵入した異物の大きさによっては、その異物が、コイルを構成する巻線の末端が結びつけられてコイルを外部と電気的に接続するための複数の端子の間を塞ぐおそれがある。端子の間を塞いだ異物が金属からなる場合、端子の間が電気的に短絡し、これによりレゾルバの信頼性が低下するおそれがある。
【０００９】
本発明は、上記に鑑みてなされたものであって、より信頼性の高いレゾルバを提供することを目的とする。
【課題を解決するための手段】
【００１０】
上述した課題を解決し、目的を達成するために、本発明の一態様に係るレゾルバは、ステータ構造を備える。ステータ構造は、第１本体部と前記第１本体部の内周側に延在する複数のティース部とを有するステータコアと、インシュレータを介して前記各ティース部に巻回された巻線により構成されているコイルと、を有するステータ部と、前記コイルを前記ステータコアの軸方向から覆うコイルカバーと、前記ステータコアの前記第１本体部上に配設され、前記インシュレータから前記ステータコアの径方向外向きに延在する端子台部と、前記端子台部に設けられ、前記コイルを構成する巻線の末端が結びつけられている複数の端子と、前記コイルカバーに設けられ、前記端子台部を覆う端子台カバー部と、を備えることを特徴とする。前記端子台部は、前記複数の端子の各々の間にそれぞれ設けられた複数の凹部を有することを特徴とする。前記端子台カバー部は、内部に設けられた複数の隔離部材を有し、前記複数の隔離部材の各々の先端側は前記複数の凹部の各々に挿入され、前記複数の端子の各々は、前記複数の凹部の各々に挿入された前記複数の隔離部材により形成された複数の空間の各々に、互いに離間されるように収容されており、前記複数の凹部の各々の内側と、各々の凹部に挿入されている前記複数の隔離部材の各々との間には間隙が形成されており、側壁の端面に段差が形成され、前記隔離部材の先端の位置は前記端子台カバー部の前記側壁の端面の位置よりも凹んでいることを特徴とする。また、前記コイルカバーと前記端子台カバー部と前記複数の隔離部材とが樹脂による一体成形品であることを特徴とする。
【００１１】
本発明の一態様に係るレゾルバは、ステータ構造を備える。ステータ構造は、第１本体部と前記第１本体部の内周側に延在する複数のティース部とを有するステータコアと、インシュレータを介して前記各ティース部に巻回された巻線により構成されているコイルと、を有するステータ部と、前記ステータコアの軸方向の両側からそれぞれ覆う第１コイルカバーと第２コイルカバーとを含むコイルカバーと、前記ステータコアの前記第１本体部上に配設され、前記インシュレータから前記ステータコアの径方向外向きに延在する端子台部と、前記端子台部に設けられ、前記コイルを構成する巻線の末端が結びつけられている複数の端子と、前記コイルカバーに設けられ、前記端子台部を覆う端子台カバー部と、を備えることを特徴とする。前記第１コイルカバーは前記端子台カバー部と複数の第１の係合部を備えることを特徴とする。前記第２コイルカバーは複数の第２係合部を備えることを特徴とする。前記ステータコアの前記第１本体部に形成した複数の貫通孔の内部で、前記複数の第１の係合部と前記複数の第２係合部が互いに係合していることを特徴とする。前記端子台部は、前記複数の端子の各々の間にそれぞれ設けられた複数の凹部を有することを特徴とする。前記端子台カバー部は、内部に設けられた複数の隔離部材を有し、前記複数の隔離部材の各々の先端側は前記複数の凹部の各々に挿入され、前記複数の端子の各々は、前記複数の凹部の各々に挿入された前記複数の隔離部材により形成された複数の空間の各々に、互いに離間されるように収容されており、前記複数の凹部の各々の内側と、各々の凹部に挿入されている前記複数の隔離部材の各々との間には間隙が形成されていることを特徴とする。また、前記コイルカバーと前記端子台カバー部と前記複数の隔離部材とが樹脂による一体成形品であることを特徴とする。
【００１２】
本発明の一態様に係るレゾルバは、前記端子台部と前記端子台カバー部は互いを結合するための結合手段を備えていることを特徴とする。
【発明の効果】
【００１４】
本発明によれば、より信頼性の高いレゾルバを実現することができる。
【図面の簡単な説明】
【００１５】
【図１】図１は、実施形態に係るレゾルバの模式的な分解斜視図である。
【図２】図２は、第１コイルカバーの模式的な斜視図である。
【図３】図３は、図１に示すレゾルバのＡ−Ａ線要部断面図である。
【図４】図４は、図３の一部拡大図である。
【図５】図５は、他の実施形態について説明する図である。
【発明を実施するための形態】
【００１６】
以下に、図面を参照して本発明に係るステータ構造およびレゾルバの実施形態を詳細に説明する。なお、この実施形態によりこの発明が限定されるものではない。また、各図面において、同一または対応する要素には適宜同一の符号を付している。
【００１７】
（実施形態）
図１は、実施形態に係るレゾルバの模式的な分解斜視図である。図１に示すように、レゾルバ１００は、ロータ１と、ステータ部２と、第１コイルカバー３と、第２コイルカバー４とを備えているＶＲ（バリアブルリラクタンス）型レゾルバである。ステータ部２と、第１コイルカバー３と、第２コイルカバー４とは、ステータ構造２０を構成している。すなわち、レゾルバ１００はステータ構造２０を備えている。
【００１８】
ロータ１は、ケイ素鋼板等の軟磁性材料の鋼板を複数枚積層した積層構造を有しており、図示しないモータの回転軸に装着され、ステータ部２の内側に配置されている。
【００１９】
ステータ部２は、ステータコア５と、インシュレータ６と、コイル７とを備えている。ステータコア５は、ケイ素鋼板等の軟磁性材料の鋼板を複数枚積層した積層構造を有しており、環状の第１本体部８と、第１本体部８の内周側に第１本体部８の中心に向かって延在する複数のティース部９とを有している。本実施形態では、ステータコア５は１０個のティース部９を有しているが、その数は特に限定されない。ティース部９は第１本体部８の周方向において等角度間隔で配置されている。また、第１本体部８には、その２つの主表面間を貫通するように複数の貫通孔８ａが形成されている。貫通孔８ａは後述するインシュレータ６が設けられた第１本体部８の表面よりも外周側に位置している。本実施形態では、貫通孔８ａは５個形成されているが、その数は特に限定されない。また、本実施形態では、貫通孔８ａは第１本体部８の周方向において等角度間隔で配置されている。以下、図１に示すように、ステータコア５の軸方向と径方向とを規定する。なお、軸方向はロータ１に接続されたモータの回転軸の軸方向と一致し、径方向はこの軸方向と直交する方向と一致する。なお、径方向とは軸方向と直交する面と平行なあらゆる方向を意味するが、図１では両矢線にて径方向のうちの一つを示している。
【００２０】
インシュレータ６は、絶縁性材料である樹脂からなり、第１インシュレータ１０と第２インシュレータ１１とで構成されている。第１インシュレータ１０と第２インシュレータ１１とは、それぞれステータコア５の軸方向の両側の表面に形成されており、ステータコア５を挟んで互いに略対称な形状を有している。特に、第１インシュレータ１０と第２インシュレータ１１とは、各ティース部９の４つの側面を覆うように形成されているとともに、各ティース部９の先端面側（径方向内周側）においてティース部９の延在方向（径方向）と交差する方向（本実施形態では直交する方向）に突出する突出部１０ａ、１１ａをそれぞれ有する。第１インシュレータ１０と第２インシュレータ１１とは、樹脂の射出成型にて成形することができる。
コイル７は、第１インシュレータ１０と第２インシュレータ１１とを介して各ティース部９に巻回された巻線により構成されている。
【００２１】
また、第１インシュレータ１０はステータコア５の径方向外向きに延在する端子台部１２を備える。端子台部１２には複数（本実施形態では６本）の端子１３が植設され、メス型のコネクタハウジング１４も形成されている。端子台部１２は第１インシュレータ１０と同時に成形することができる。各端子１３の一方端には、対応するコイル７を構成する巻線の末端が絡げられるように結びつけられており、各端子１３の他方端はコネクタハウジング１４の内部に突出している。各端子１３の他方端は外部コネクタと接続される。
【００２２】
各ティース部９の間には空間（スロット）１５が形成される。このスロット１５は、第１コイルカバー３と第２コイルカバー４とが装着されていないときには各ティース部９の突出部１０ａ、１１ａの間の開口を通じてステータコア５の内側と連通する。
【００２３】
つぎに、第１コイルカバー３および第２コイルカバー４について説明する。第１コイルカバー３および第２コイルカバー４は、その構成材料は限定されないが、本実施形態では樹脂からなり、たとえば樹脂の射出成型にて成形される。樹脂としてはたとえば絶縁性樹脂を用いることができる。第１コイルカバー３および第２コイルカバー４は、ステータ部２のコイル７をステータコア５の軸方向の両側から覆うようにしてステータ部２に装着される。
【００２４】
図２は、第１コイルカバー３の模式的な斜視図である。第１コイルカバー３は、第２本体部３ａが全体的に環状であり、第２本体部３ａは外周縁に軸方向に延在する外周壁３ｂを備え、外周壁３ｂの一部には上述した端子台部１２を覆う端子台カバー部３ｃを備えている。
【００２５】
第１コイルカバー３は、第２本体部３ａに設けられ、外周壁３ｂから軸方向に延在する複数（本実施形態では５個）の板状の第１係合部３ｄを備え、第１係合部３ｄの先端には開口３ｆが形成されている。本実施形態では、第１係合部３ｄは第１コイルカバー３の周方向において等角度間隔で配置されている。また第１コイルカバー３は、第２本体部３ａの内周縁から第１係合部３ｄと同じく軸方向に延在する複数（本実施形態では１０個）の板状の第１保護部３ｅを備えている。本実施形態では、第１保護部３ｅは第１コイルカバー３の周方向において等角度間隔で配置されている。また、第１保護部３ｅは第２本体部３ａ側に向かって周方向で徐々に幅広になっている。
【００２６】
また、端子台カバー部３ｃの外周面には、２つの係合爪３ｈが形成されている。一方、端子台部１２の外周側には、係合爪３ｈと係合させるための２つの係合部１２ａが形成されている（図１参照）。さらに、端子台カバー部３ｃの内部には、隔離部材としてのリブ３ｉが、本実施形態では５つ設けられている。これらのリブ３ｉにより、端子台カバー部３ｃの内部には６つの空間３ｊが形成されている。なお、端子台カバー部３ｃ、係合爪３ｈおよびリブ３ｉは、いずれも第１コイルカバー３の成形時に同時に成形することができる。
【００２７】
図１に戻って、第２コイルカバー４は、第２本体部４ａが全体的に環状であり、第２本体部４ａは外周縁に軸方向に延在する外周壁４ｂを備えている。第２コイルカバー４の第２本体部４ａの内径、外径は第１コイルカバー３の第２本体部３ａの内径、外径とそれぞれ略同じである。
【００２８】
また、第２コイルカバー４は、第２本体部４ａに設けられ、外周壁４ｂから軸方向に延在する複数（本実施形態では５個）の板状の第２係合部４ｄを備え、第２係合部４ｄの先端には係合爪４ｆが形成されている。本実施形態では、第２係合部４ｄは第２コイルカバー４の周方向において等角度間隔で配置されている。また第２コイルカバー４は、第２本体部４ａの内周縁から第２係合部４ｄと同じく軸方向に延在する複数（本実施形態では１０個）の板状の第２保護部４ｅを備えている。本実施形態では、第２保護部４ｅは第２コイルカバー４の周方向において等角度間隔で配置されている。また、第２保護部４ｅは第２本体部４ａ側に向かって周方向で徐々に幅広になっている。
【００２９】
ここで、第１コイルカバー３および第２コイルカバー４をステータ部２に装着する際には、第１コイルカバー３と第２コイルカバー４とを軸方向の両側からステータ部２に近づけ、第１コイルカバー３の各第１保護部３ｅを各ティース部９の突出部１０ａの間に挿入し、第２コイルカバー４の各第２保護部４ｅを各ティース部９の突出部１１ａの間に挿入する。これと同時に、第１コイルカバー３の各第１係合部３ｄと第２コイルカバー４の各第２係合部４ｄとをステータコア５の第１本体部８の各貫通孔８ａに挿入し、各貫通孔８ａを通じて各第１係合部３ｄの開口３ｆに各第２係合部４ｄの係合爪４ｆを係合させる。また、このとき、端子台カバー部３ｃの各係合爪３ｈを端子台部１２の各係合部１２ａに係合させる。
【００３０】
これにより、第１コイルカバー３と第２コイルカバー４とが、各第１係合部３ｄと各第２係合部４ｄとによって結合される。また、端子台部１２は端子台カバー部３ｃに覆われる。さらに、各第１保護部３ｅおよび各第２保護部４ｅは、各ティース部９の突出部１０ａ間、各ティース部９の突出部１１ａ間にそれぞれ配置される。これにより各スロット１５は、各第１保護部３ｅおよび各第２保護部４ｅによってステータコア５の内側に対して塞がれる。
【００３１】
第１コイルカバー３および第２コイルカバー４のステータ部２への装着は、係合爪４ｆと開口３ｆとの係合によって容易に行うことができる。また、本実施形態では、各第１係合部３ｄと各第２係合部４ｄとは、各貫通孔８ａの内部で互いに係合しているので、第１コイルカバー３および第２コイルカバー４は装着後に外れにくくなる。
【００３２】
第１コイルカバー３および第２コイルカバー４をステータ部２に装着することによって、コイル７および端子台部１２が覆われる。これにより、コイル７、コイル７を構成する巻線および端子台部１２が露出しないため、コイル７、コイル７を構成する巻線および端子１３の損傷が防止される。
【００３３】
さらに、図３、４に示すように、端子台部１２が端子台カバー部３ｃに覆われた状態では、複数の端子１３の各々は、複数のリブ３ｉにより形成された複数の空間３ｊの各々に、互いに隔離されるように収容される。なお、符号７ａはコイル７を形成する巻線の末端である。図３、４では、巻線の末端７ａについては１つの端子１３に結び付けられているもののみ図示しているが、巻線の末端は各端子１３の各々に結び付けられている。
【００３４】
このように、各端子１３はリブ３ｉにより、互いに隔離されるように各空間３ｊに収容される。そのため、仮に金属からなる異物が侵入して端子台部１２に到達したとしても、当該異物が端子１３間を電気的に短絡させることを抑制または防止することができる。
【００３５】
また、図１、３、４にも示すように、端子台部１２は、複数の端子１３の各々の間にそれぞれ設けられた複数（本実施形態では５つ）の溝状の凹部１２ｂを有している。端子台部１２が端子台カバー部３ｃに覆われた状態では、複数のリブ３ｉの各々の先端側は、複数の凹部１２ｂの各々に挿入された状態となっている。これにより、各端子１３間で、端子１３の根元（端子台部１２側）に到るまでリブ３ｉが延在することとなるので、各端子１３間の隔離性がより高まる。
【００３６】
ところで、端子台部１２、端子台カバー部３ｃ、リブ３ｉなどは、樹脂からなるので、端子台部１２の凹部１２ｂとリブ３ｉとの位置関係が高精度に一致するように製造することは一般的に困難である。製造誤差等により凹部とリブとの位置関係がずれている場合、リブが凹部に挿入されない場合があり、これにより端子台部と端子台カバー部との係合不良等が発生するおそれがある。
【００３７】
そこで、このレゾルバ１００では、端子台部１２の各凹部１２ｂの内側とこれに挿入されている各リブ３ｉとの間に間隙ｔ１が形成されるように、凹部１２ｂの幅や長さ、およびリブ３ｉの厚さや長さが設計されている。これにより、各リブ３ｉは各凹部１２ｂに、一層確実に挿入されることとなり、端子台部１２と端子台カバー部３ｃとの係合不良等の発生を防止できる。なお、このような間隙ｔ１は、図４に示すように屈曲した構造となりラビリンスを形成するため、侵入した異物が間隙ｔ１を通って空間３ｊ間を移動することを抑制または防止することができる。
【００３８】
一方、第１インシュレータ１０、第２インシュレータ１１の各突出部１０ａ、１１ａは半長円状の外形状を有しており、これを合わせると長円状の外形状となる。また、上述したように、各第１保護部３ｅ、各第２保護部４ｅは、それぞれ第２本体部３ａ、４ａ側に向かって周方向で徐々に幅広になっている。これにより、各第１保護部３ｅ、各第２保護部４ｅは、各突出部１０ａ、１１ａの外形状に沿った形状の外形状を有するようになっている。その結果、各第１保護部３ｅ、各第２保護部４ｅと、各突出部１０ａ、１１ａとの間の隙間を狭くできる。
【００３９】
さらには、図１にも示すように、各第１保護部３ｅ、各第２保護部４ｅのそれぞれの先端部には、ステータコア５の径方向で互いに向き合う段差を成す段差部３ｇ、４ｇが形成されている。これにより、段差部３ｇ、４ｇは互いに入れ子の状態で配置されることとなり、同一のティース部９間に配置され、同一のスロット１５に対応する第１保護部３ｅおよび第２保護部４ｅは、互いにわずかな間隔で離間しつつ、ステータコア５の径方向において互いに重畳する。
【００４０】
本実施形態に係るレゾルバ１００では、上記の構成を有するステータ構造２０を備えていることにより、仮にスロット１５へ異物が侵入して端子台部１２に到達したとしても、当該異物が端子１３間を電気的に短絡させることを抑制または防止できるので、より信頼性が高いレゾルバとなる。
【００４１】
なお、上記実施形態では、端子台部１２が端子台カバー部３ｃに覆われた状態では、複数のリブ３ｉの各々の先端側が端子台部１２の複数の凹部１２ｂの各々に挿入された状態となるが、本発明はこれに限定されない。たとえば、上記実施形態において、端子台部１２を、図５に示すような凹部が形成されていない端子台部１２Ａに置き換え、端子台カバー部３ｃを、リブ部３ｉよりも長さが短いリブ部３Ａｉを有する端子台カバー部３Ａｃに置き換えてもよい。この場合も、仮にスロット１５へ異物が侵入して端子台部１２に到達したとしても、当該異物が端子１３間を電気的に短絡させることを抑制または防止できる。なお、この場合も、端子台部１２Ａと端子台カバー部３Ａｃとの係合不良等を防止するため、端子台部１２Ａとリブ部３Ａｉの先端側との間に間隙ｔ２が発生するように、リブ部３Ａｉの長さを設計することが好ましい。ただし、このような間隙ｔ２は、侵入した異物が間隙ｔ２を通って空間３ｊ間を移動しにくい程度の大きさとすることが好ましい。
【００４２】
また、上記実施形態では、インシュレータ６は第１インシュレータ１０と第２インシュレータ１１とで構成されているが、インサート成形にてステータコア５にインシュレータ６を一体成形にて形成してもよい。
【００４３】
また、上記実施形態では、第１インシュレータ１０と端子台部１２はインサートモールドにて一体成形しているが、端子台部１２を別体で形成し、これを第１インシュレータ１０に装着した構成でもよい。また、必要に応じてコネクタハウジング１４を形成しない構成としてもよい。
【００４４】
また、上記実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【００４５】
１  ロータ
２  ステータ部
３  第１コイルカバー
３ａ、４ａ  第２本体部
３ｂ、４ｂ  外周壁
３ｃ  端子台カバー部
３ｄ  第１係合部
３ｅ  第１保護部
３ｆ  開口
３ｇ、４ｇ  段差部
３ｈ、４ｆ  係合爪
３ｉ  リブ
３ｊ  空間
４  第２コイルカバー
４ｄ  第２係合部
４ｅ  第２保護部
５  ステータコア
６  インシュレータ
７  コイル
７ａ  巻線の末端
８  第１本体部
８ａ  貫通孔
９  ティース部
１０  第１インシュレータ
１０ａ、１１ａ  突出部
１１  第２インシュレータ
１２  端子台部
１２ａ  係合部
１２ｂ  凹部
１３  端子
１４  コネクタハウジング
１５  スロット
２０  ステータ構造
１００  レゾルバ
【図１】
0006608864.tif 000002
【図２】
0006608864.tif 000003
【図３】
0006608864.tif 000004
【図４】
0006608864.tif 000005
【図５】
0006608864.tif 000006